(57)【要約】【課題】屋内空気の空気快適化剤による快適化効率が良好で、かつ、超音波霧化装置の運転・保守管理の工数が嵩まない屋内空気快適化方法を提供すること。【解決手段】中央制御方式の空調設備を備えた建造物における屋内の空気を快適化する方法。空調設備における１基の空調機本体１１に対応して１基の超音波霧化装置２５を備える。空気快適化剤を含有する薬液の超音波霧化装置２５による霧化物を、給気ダクト１３の元部側で給気に混合して、給気ダクト１３の各吹き出し口（ユニット）２３から吹き出し可能とする、【選択図】図２
2014092336.tif 000002
【特許請求の範囲】
【請求項１】
中央制御方式の空調設備を備えた建造物における屋内空気を快適化する方法であって、
前記空調設備における１基の空調器本体に対応して１基の超音波霧化装置を備え、
空気快適化剤を含有する薬液の超音波霧化装置による霧化物を、給気ダクトの元部側で給気に混合して、前記給気ダクトの各吹き出し口から吹き出し可能とする、
ことを特徴とする、屋内空気の快適化方法。
【請求項２】
前記超音波霧化装置における薬液ボトル保持室が２本の薬液ボトルを保持可能とされて、一方の薬液ボトルが空となったとき他方の薬液ボトルに連続的に切り替え可能とされていることを特徴とする請求項１記載の屋内空気の快適化方法。
【請求項３】
前記空気快適化剤が、除菌剤・脱臭剤および芳香剤の１種又は２種以上からなることを特徴とする請求項１又は２記載の屋内空気の快適化方法。
【請求項４】
超音波霧化装置からの霧化物を、給気ダクトの軸心位置で流れ方向に向けて噴出させることを特徴とする請求項１、２又は３記載の屋内空気の快適化方法。
【請求項５】
建造物における屋内空気の快適化に使用する中央制御方式の空調設備であって、
前記空調設備における１基の空調器本体に対応して１基の超音波霧化装置を備え、
前記超音波霧化装置により、空気快適化剤を含有する薬液の霧化物を、給気ダクトの元部側で給気に混合して、前記給気ダクトの各吹き出し口から吹き出し可能とされている、
ことを特徴とする空調設備。
【発明の詳細な説明】
【技術分野】
【０００１】
本発明は、屋内空気の快適化方法及び屋内空気の快適化に使用する空調設備に関する。詳しくは、中央制御方式の空調設備を備えた建造物における部屋内（ホールを含む。）や廊下等の屋内の空気を快適化するのに好適な屋内空気の快適化方法および空調設備に係る発明である。
【０００２】
ここで、屋内空気の快適化とは、除菌・消臭さらには芳香付与等により空気を快適化することを意味し、浄化ないしクリーン化に類似する概念である。
【背景技術】
【０００３】
従来、商業施設、遊技場、医療機関、宿泊施設などで、室内空気の快適化のための除菌・脱臭・芳香付与等には、除菌剤・脱臭剤・芳香付与剤等の空気快適化剤を含有する薬液を入れた専用の霧化装置を、部屋ごとに、部屋が大きい場合や廊下等では複数個所に配して対処していた。霧化装置としては、種々あるが、昨今、霧化効率が良好で微細な霧化物（中心粒子径：約3μm）が得られる超音波霧化装置が多用されている。
【０００４】
超音波霧化装置は、超音波振動子（圧電振動子）に高周波電圧を印加して発生する振動エネルギーを、液位が調節された被霧化液に付与し、液面の一部を隆起させて霧化させる霧化装置である。
【０００５】
しかし、上記における超音波霧化装置は、人の動線の関係上、通常、部屋の隅に設置される。したがって、室（部屋）全体にわたって、空気快適化剤が分散し難く、空気快適化剤による快適化効率が必ずしも良好とはいえなかった。
【０００６】
また、超音波霧化装置は、一基ずつ独立しており、霧化装置ごとに起動・停止、さらには、薬液交換、フィルター掃除等の保守管理を行う必要があった。このため、運転・保守管理工数が嵩んだ。
【０００７】
なお、本発明の新規性・進歩性に影響を与えるのものではないが、屋内空気の空調設備における空調ダクトを用いた浄化に関連する先行技術文献として特許文献１を挙げることができる。また、本発明において適用可能性を有する超音波霧化装置に関連する先行技術文献として特許文献２〜５等を挙げることができる。
【先行技術文献】
【特許文献】
【０００８】
【特許文献１】特開2008−155192号公報（要約等）
【特許文献２】特開2010−249337号公報（要約等）
【特許文献３】特開2007−105714号公報（要約等）
【特許文献４】特開2007−7543号公報（要約等）
【特許文献５】特開平5−115818号公報（要約等）
【発明の概要】
【発明が解決しようとする課題】
【０００９】
本発明は、上記にかんがみて、屋内空気の空気快適化剤による快適化効率が良好で、かつ、超音波霧化装置の運転・保守管理の工数が嵩まない屋内空気の快適化方法および空調設備を提供することを目的（課題）とする。
【課題を解決するための手段】
【００１０】
本発明者らは、上記課題を解決するために鋭意開発に努力をする過程で、超音波霧化装置を用いて、空調設備の給気ダクトの元部側に空気快適化剤を含有する薬液の霧化物を投入すればよいことを知見し、該知見に基づいて、下記構成の屋内空気の快適化方法(1)および空調設備(2)に想到した。
【００１１】
(1) 中央制御方式の空調設備を備えた建造物における屋内空気を快適化する方法であって、前記空調設備における１基の空調機本体に対応して１基の超音波霧化装置を備え、空気快適化剤を含有する薬液の超音波霧化装置による霧化物を、給気ダクトの元部側で給気に混合して、前記給気ダクトの各吹き出し口から吹き出し可能とする、ことを特徴とする屋内空気の快適化方法。
【００１２】
(2) 建造物における屋内空気の快適化に使用する中央制御方式の空調設備であって、前記空調設備における１基の空調機本体に対応して１基の超音波霧化装置を備え、前記超音波霧化装置により、空気快適化剤を含有する薬液の霧化物を、給気ダクトの元部側で給気に混合して、前記給気ダクトの各吹き出し口から吹き出し可能とされている、ことを特徴とする空調設備。
【００１３】
本発明の屋内空気の快適化方法および空調設備は、上記構成（発明特定事項）により、１基の空調機本体に対応して超音波霧化装置が１基で済み、かつ、中央制御方式の空調設備の各吹き出し口（通常天井）から各薬剤の霧化物を散布する結果となる。このため、霧化物の分散性が良好で、快適化効率を向上させることができ、結果的に薬剤使用量も削減できる。
【００１４】
さらに、給気ダクト内の除菌・消臭も同時にでき、空気快適化の相乗効果が期待できる。
【図面の簡単な説明】
【００１５】
【図１】本発明を適用する遊技場ホールにおける中央制御方式の空調設備の一例を示す概略斜視図である。
【図２】図１における空調機本体、給気吐出口および超音波霧化装置との相互間の空気流れを示す概略図である。
【図３】本発明で使用する超音波霧化装置の概略正面断面図である。
【図４】同じく概略側面断面図である。
【図５】同じく概略平面断面図である。
【図６】本発明の屋内空気の快適化方法における制御流れ図の一例である。
【発明を実施するための形態】
【００１６】
以下、本発明の一実施形態について、図１・２に示すような、遊技場ホールＨにおける既設の中央制御方式の空調設備に適用する場合を例に採り説明する。もちろん、新設する空調設備にも本発明は適用できる。
【００１７】
当該空調設備は、空調機本体１１と、空調機本体１１の給気（空調エア）の吐出口１１ａに接続される給気ダクト１３とを備えている。
【００１８】
空調機本体１１には、合流ボックス１５および電気集塵機１７を介して外気および換気が導入されるようになっている。換気は、室内の集中換気口１９ａから換気ダクト１９を介して合流ボックス１５に導入される。室内の空調（冷房ないし暖房）された換気を空調機本体１１に導入することにより熱交換負担が軽減される。なお、換気ダクト１９の途中には排気ダクト２１が接続されて、換気の一部が室外へ排気されるようになっている。
【００１９】
給気ダクト１３は、天井側の中央配管１３ａから、３対の分岐配管１３ｂを経て、分岐配管１３ｂの末端に吹き出し口（吹き出しユニット）２３を備えている。
【００２０】
各吹き出し口２３は、給気ダクト１３からの給気を吹き出すもので、ダンパー（図示せず）の開閉で、給気量（吹き出し量）を調節可能とされている。空調機本体１１の風量調節で給気量を調節してもよい。なお、ホテル等の客室等における場合は、吹き出し口２３に給気量を調節できるファンを付設したものであってもよい。
【００２１】
そして、本実施形態では、１基の空調機本体１１に対応させて１基の超音波霧化装置２５を用意する。
【００２２】
超音波霧化装置２５は、薬液を霧化可能であれば、その型式は特に限定されず前記特許文献２〜５に記載のものも、適宜変更を加えて使用可能である。
【００２３】
図３〜５に本発明に好適な超音波霧化装置２５の一例を示す。
【００２４】
該超音波霧化装置２５は、液貯留室２７と薬液ボトル保持室２９と薬液補給手段３１とを備えている。
【００２５】
液貯留室２７は、隔壁３３により下側に隙間（連通孔）３３ａを有して区画され、一方が霧化部３５、他方がフロートスイッチ設置部（ＦＳ設置部）３７とされている。また、隔壁３３の上側部には水平方向の長孔３３ｂを備えている。
【００２６】
霧化部３５は、底部に超音波振動子（圧電振動子ユニット）３９が配されている。
【００２７】
ＦＳ設置部３７の底部内側には、ＦＳ４７が配されるとともに、天井上側には、送風機４１が内部に配された給気導入ボックス４２が形成されている。該給気導入ボックス４２には、給気分配ホース４９が接続されている。
【００２８】
薬液ボトル保持室２９は、薬液ボトル５１を脱着可能なボトル保持具５３を備えている。なお、薬液ボトル保持室２９を２本の薬液ボトル５１を保持可能として、自動切り替え又は手動切り替えすれば、薬液供給の連続化が可能となる。
【００２９】
薬液補給手段３１は、ハウジングＣの側壁内側に取り付けられた送液ポンプ５５を挟んで、上側・下側に吐出側ホース５６と吸込み側ホース５７とが接続されている。吐出側ホース５６は、霧化部３５の薬液導入口３５ｂに接続されている。
【００３０】
また、吸込み側ホース５７は薬液流れの有無を液流れセンサ５９で検知するために透明とされている。該液流れセンサ５９は、送液ポンプ５５の下側に配されている。
【００３１】
なお、図例中、６０は、保守時に薬液を液貯留室２７から排出するためのドレンホースである。通常は、ドレンホース６０は上向きとしておき、薬液の排出作業時に下向きとする。また、６３は、液貯留室２７の下側に配されている超音波振動子３９および付属機器（電子機器）を冷却するための冷却ファンである。
【００３２】
そして、該超音波霧化装置２５の霧化部３５の霧化物送出孔３５ａが、図２に示すごとく、霧化物搬送ホース４３を介して空調機本体１１の給気ダクト１３の元部側に配された噴霧パイプ４４に接続されている。噴霧パイプ４４の噴出口４４ａは、給気ダクト１３の軸心位置で給気流れ方向に向いている。
【００３３】
また、必然的ではないが、本実施形態では、空調設備の起動・停止に連動して、超音波霧化装置２５が起動・停止するようになっている。
【００３４】
次に、上記実施形態の使用態様について説明する（図６の流れ図参照）。
【００３５】
まず、薬液が充填された薬液ボトル５１を薬液ボトル保持室２９にセットし、送液ポンプ５５を起動させ液貯留室２７にあらかじめ所定量の薬液を充填する。
【００３６】
ここで、薬液は、除菌・消臭・芳香付与の１種以上の効果を付与できるものなら特に限定されない。例えば、市販の抗菌性金属や、アルカリ金属塩とチタネートカップリング剤とを混合して得られる抗ウィルス性を有した抗菌剤を使用できる（特開2011-42642号公報参照）。これらの除菌薬液（抗菌剤）は、芳香を忌避したい施設に好適である。当然、芳香が要求される場合は、除菌薬液に芳香付与剤を添加した混合薬液として、又は、芳香付与剤のみの単独薬液として使用することもできる。
【００３７】
上記液貯留室２７に薬液を充填後、この状態で、空調機本体１１の電源をオンとして、空調機本体１１を起動させる。空調機本体１１の電源オンにより、連動して超音波霧化装置２５の電源がオンとなり超音波霧化装置２５の超音波振動子３９および送風機４１が起動する。なお、空調機本体１１と超音波霧化装置２５の電源オンを連動させずに、別々に電源をオンとするようにしてもよい。
【００３８】
ＦＳ４７は、液位が正常範囲（例えば、20〜25mm）の間はオンであり、液位不足（20mm未満）となるとオフとなるように設定されている。また、液流れセンサ５９は、送液ポンプ５５の吸込み側ホース５７の液流れがあるときはオンで液流れがなくなったときオフとなり、ボトル交換ランプ（図示せず）を点灯させるとともに、送液ポンプ５５の電源をオフとする信号を発する。
【００３９】
超音波振動子３９の起動（オン）により該超音波の振動エネルギーが薬液に伝達されて薬液の霧化が開始する。そして、霧化開始後、薬液が消費される。液位が低下して液位不足（20mm未満）になると、ＦＳ４７がオフとなり、送液ポンプ５５が起動して、流れセンサ５５で吸引ホース５７の液流れを検知しながら液貯留室２７に薬液が補充される。薬液の補充が完了するとＦＳ４７がオンとなって、送液ポンプ５５が停止する。
【００４０】
なお、送液ポンプ５５の制御は、タイマー制御としてもよい。この場合は、設定時間経過後にタイマーが作動して、薬液ポンプ補充のサブルーチンで送液ポンプ停止となる。このため、上記超音波振動子オンの送液ポンプ５５の停止は不要となる。
【００４１】
こうして、給気ダクト１３からの給気がその背圧と送風機４１の吸引圧により液貯留室２７のＦＳ設置部３７内に導入される。該給気は、隔壁３３の上側長孔３３ｂから霧化部３５に導入され、霧化物案内筒部４５の外周に沿って下降し、霧化物を霧化物案内筒部４５の貯留液面との隙間から霧化物案内筒部４５内に導入される。霧化物案内筒部４５内に導入された霧化物は霧化物搬送ホース４３を介して給気ダクト１３内に送入される。このため、給気分配ホース４９からの給気は、超音波霧化装置２５を介して一方向の循環した流れを作り出し、霧化物の逆流を阻止する。
【００４２】
ここで、前述のごとく、給気ダクト１３の軸心に沿って噴霧パイプ４４の噴出口４４ａが給気流れ方向に向いているため、給気ダクト１３の内周壁における乱流に巻き込まれることなく、確実に中心部の層流である給気流れ、すなわち、給気に乗って、搬送される。このため、薬液霧化物が給気ダクト１３の一番遠い吹き出し口２３を含む各先端吹き出し口から給気（空調エア）とともに吹き出される。また、空気快適化剤として除菌剤を含む場合は、搬送途中にその一部が給気ダクト１３の壁面にも接触することにより給気ダクト１３内の除菌も同時に行われる。
【００４３】
こうして、空調（冷暖房）とともに除菌・消臭・芳香付与等の空気快適化効果を得ることができる。
【００４４】
上記において、運転中に薬液ボトル５１が空になると送液ポンプ５５の吸込み側ホース５７を薬液が流れなくなって液流れセンサ５１からの信号がオフとなり、ボトル交換ランプ（図示せず）が点灯するとともに、送液ポンプ５５の電源がオフとなる。そして、薬液ボトル５１の交換作業を人手により行う。なお、薬液ボトル保持室２９に２本の薬液ボトル５１が保持可能として、一方の薬液ボトルが空となったとき他方の薬液ボトルに連続的に切り替え可能とした場合は、薬液ボトルを直に交換しなくてもよく、他方の薬液ボトルが空になるまでにボトル交換をすればよい。
【００４５】
薬液ボトル５１の交換作業が終了したら、送液ポンプ５５の電源を手動でオンとする。すると、送液ポンプ５５の吸引側ホース５６に液が流れて、液流れセンサ５９からオン信号が発信される。このとき、ＦＳ４７がオンであれば、送液ポンプ５５が停止するとともに、超音波振動子３９がオン（発振）して、再び、薬液の霧化物が給気ダクト１３内に送り込まれ、前述と同様に、薬液霧化物が給気ダクト１３の各先端の吹き出し口２３から空調エアとともに吹き出される。
【００４６】
そして、空調機本体の電源をオフとする外部信号が入力した場合は、空調機本体１１の電源がオフとなるとともに、連動して超音波霧化装置２５の送風機４１および超音波振動子（ユニット）２９の各電源もオフとなる。空調機本体１１および超音波霧化装置２５の運転が停止される。
【００４７】
なお、床面積1500ｍ2の遊技場ホールに空調機本体を４基設置の場合、超音波霧化装置も空調機本体の４基に対応させて４基とする。
【００４８】
そして、その場合の超音波霧化装置２５の運転条件は、発振周波数：2.35〜2.6MHz、消費電流：0.35A（100V）のものを使用し、薬液使用量（霧化量）は30〜100mL/ｈとする。
【００４９】
また、超音波霧化装置２５における隔壁３３の下側隙間３３ａ：５mmとしたとき、充填液位：25〜30mm、補充開始液位：20mmとする。
【符号の説明】
【００５０】
１１    空調機本体
１３    給気ダクト
２５    超音波霧化装置
【図１】
2014092336.tif 000003
【図２】
2014092336.tif 000004
【図３】
2014092336.tif 000005
【図４】
2014092336.tif 000006
【図５】
2014092336.tif 000007
【図６】
2014092336.tif 000008